(57)【特許請求の範囲】
【請求項１】
複数の電線束を着脱可能な状態でつり下げるつり下げ部材と、
複数のつり下げ部材を、間隔を隔てて担持する担持体とを有する電線束ストック台であって、
上記つり下げ部材に設けられ、互いに隣接するつり下げ部材がつり下げている電線束の間を仕切る仕切り布を垂下させており、
上記つり下げ部材は、基端が回動可能に片持ち状に支持されているとともに、自由端がチャネル状の係止部に着脱可能に係止している長板状部材であることを特徴とする電線束ストック台。
【発明の詳細な説明】
【０００１】
【発明の属する技術分野】
本発明は電線束ストック台に関し、特に、ワイヤハーネスを製造する際に、ワイヤハーネスの構成要素となるサブアッセンブリをストックするための電線束ストック台に関する。
【０００２】
【従来の技術】
一般にワイヤハーネスを製造する過程においては、当該ワイヤハーネスが構成する電気回路の一部をサブアッセンブリとして製造し、製造されたサブアッセンブリをグロスアッセンブリして最終形態に仕上げている。
上述のような製造過程においては、多数のワイヤハーネスやサブアッセンブリ（以下、「電線束」と総称する）を製造し、ストックしておく必要がある。そのため、従来より、電線束をストックするためのストック台が提案されてきた。
【０００３】
例えば、本件出願人が先に提案している特願平８−２８０６１号（特開平９−２２１０３６号公報参照）においては、箱型に枠組みされて電線束を収容する収容空間を区画するケーシング枠と、ケーシング枠に設けられ、上記収容空間に収容される電線束をつり下げるつり下げ手段とを有した搬送式の台車を提案している。
【０００４】
【発明が解決しようとする課題】
電線束をストックするためには、限られたスペース内により多くの電線束を収容することができるとともに、電線束を構成する電線同士が絡みつくことを可及的に防止して、電線束の着脱を容易にすることが要請される。
しかし、上述した先行技術は、専ら電線束を搬送するために発明された箱型形状に構成されているため、狭い設置スペースで多くの電線束を収容することができなかった。
【０００５】
本発明は上記不具合に鑑みてなされたものであり、収納効率がよく、しかも、電線束の着脱を容易に行なうことのできる電線束ストック台を提供することを課題としている。
【０００６】
【課題を解決するための手段】
上記課題を解決するために、本発明は
複数の電線束を着脱可能な状態でつり下げるつり下げ部材と、
複数のつり下げ部材を、間隔を隔てて担持する担持体とを有する電線束ストック台であって、
上記つり下げ部材に設けられ、互いに隣接するつり下げ部材がつり下げている電線束の間を仕切る仕切り布を垂下させており、上記つり下げ部材は、基端が回動可能に片持ち状に支持されているとともに、自由端がチャネル状の係止部に着脱可能に係止している長板状部材であることを特徴とする電線束ストック台である。
【０００７】
この発明では、つり下げ部材につり下げられている複数の電線束が、仕切り布でつり下げ部材毎に仕切られているので、つり下げ部材同士を近接させて並べても、各つり下げ部材がつり下げている電線束が絡み合うことはない。「仕切り布」は、必要な可撓性と強度とを有するものであれば、一般的な布に限らず、ネット状のものでもよい。また、材質も、綿、麻、等の他、樹脂や金属も採用可能である。可撓性のある仕切り布を採用することにより、一層各つり下げ部材の間隔を狭めることが可能になる。
【０００８】
また、つり下げ部材の基端が回動可能に片持ち状に支持されているとともに、自由端が着脱可能に係止部に係止しているので、必要に応じて自由端を係止部から離脱させ、基端部を回動させることにより、一のつり下げ部材を垂下させ、該一のつり下げ部材に後続して配置された他のつり下げ部材を開放（露出）することが可能になる。
【０００９】
【発明の実施の形態】
以下、添付図面を参照しながら、本発明の好ましい実施の形態について詳述する。
図１は本発明の実施の一形態における電線束ストック台１０の概略構成を示す一部欠載斜視図である。
【００１０】
同図を参照して、図示の実施の形態に係る電線束ストック台１０は、概ね台車状に組まれた構造体１１を有している。この構造体１１は、キャスター１２によって搬送可能な枠体１３の一辺に手押し用のハンドル１３ａを設けて搬送可能に構成されているとともに、その中央部に横架された桟１４上にピラー１５を立設し、ピラー１５の頂部に水平桟１６の中央部を溶接して、概ねＴ字形に組み付けている。この上記構造体１１は、図示の実施の形態において本発明の骨子となるつり下げ部材２０を担持するための担持体を構成するものである。
図２は図１の実施の形態に係るつり下げ部材の概略構成を示すものであり、（Ａ）は平面略図、（Ｂ）は正面略図である。また、図３は図１の要部を拡大して示す拡大図である。
【００１１】
図１並びに図２および図３を参照して、つり下げ部材２０は、略長板状の本体２１に、複数のクランプ２２を等配して構成したものであり、その一方の端部には、取付用の筒２３が、当該本体２１の長手方向と直交する水平方向に溶接されている。そして、この筒２３は、上記構造体１１の水平桟１６の長手方向一端部に固定された支持棒１７に挿通させるためのものであり、つり下げ部材２０は、筒２３を支持棒１７に挿通させることによって、構造体１１に片持ち状に担持される。
【００１２】
図示の実施の形態において、上記支持棒１７は、上記水平桟１６と直交する水平方向に延びて水平桟１６の一端側に固定されており、複数のつり下げ部材２０を担持可能な長さに設定されている。支持棒１７の両端部には、めねじが形成されており、該めねじに止め具１８のボルト１８ａを螺合させることにより、支持棒１７に支持されているつり下げ部材２０の抜け止めが図られている。ここで、支持棒１７とつり下げ部材２０の筒部２３とは、当該つり下げ部材２０の自由端が僅かに左右に振れるように、がたつきを有している。
【００１３】
さらに、図１および図３に示すように、上記構造体１１の上記水平桟１６の他方の端部には、支持棒１７と平行に延びる係止桟１９が溶接されており、係止桟１９には、チャネル状に開く係止部材２４が、支持棒１７に担持可能なつり下げ部材２０に対応して等配され、溶接されている。係止部材２４は、図３に示すように、平面で見て支持棒１７側に「コ」の字状に開き、底部に受け板２４ａを有する収容部２４ｂを区画しており、この収容部１２ｂ内につり下げ部材２０の自由端を係止することにより、つり下げ部材２０の自由端を着脱可能に保持するものである。
【００１４】
そして、図２に示すように、つり下げ部材２０の基端部分は、筒部２３で回動可能に片持ちしていることから、つり下げ部材２０は、図２（Ｂ）の実線で示す保持姿勢と仮想線で示す垂下姿勢とに変位可能に構成され、保持姿勢においては、各クランプ２２を水平に並列させた姿勢で横架されているとともに、垂下姿勢においては、後側のつり下げ部材２０を概ね全面的に開放するように構成されている。
【００１５】
さらに、図示の実施の形態においては、つり下げ部材２０に仕切り布２５が取り付けられている。仕切り布２５は、当該つり下げ部材２０につり下げられる電線束Ｗを全長にわたって間仕切り可能な長さで垂下されており、その上端部が例えば面テープ２６（図１のみ破線で図示）で着脱可能に固定されている。「仕切り布」は、必要な可撓性と強度とを有するものであれば、一般的な布に限らず、ネット状のものでもよい。また、材質も、綿、麻、等の他、樹脂や金属も採用可能である。可撓性のある仕切り布２５を採用することにより、各電線束Ｗが軽く押し付けられる程度まで、つり下げ部材２０の対向間隔を狭めることができるので、一層収納率が向上する。
【００１６】
以上の構成では、使用時においては、つり下げ部材２０につり下げられている複数の電線束Ｗが、仕切り布２５でつり下げ部材２０毎に仕切られているので、つり下げ部材２０同士を近接させて並べても、各つり下げ部材２０がつり下げている電線束Ｗが絡み合うことはない。
従って、つり下げ部材２０同士を可及的に近接させて配置し、電線束Ｗの収容本数を多くとることができるので、収納効率がよく、しかも、電線束Ｗの着脱を容易に行なうことができるという顕著な効果を奏する。
【００１７】
特に、つり下げ部材２０の基端が回動可能に片持ち状に支持されているとともに、自由端が着脱可能に係止部に係止している場合には、つり下げ部材２０の基端に設けた筒部２３が支持棒１７によって回動可能に片持ち状に支持されているとともに、自由端が係止部材２４によって着脱可能に保持されているので、必要に応じて自由端を係止部材２４から離脱させ、基端部を回動させることにより、一のつり下げ部材２０を垂下させ、該一のつり下げ部材２０に後続して配置された他のつり下げ部材２０を開放（露出）することが可能になる。従って、図示の実施の形態では、操作性が一層向上するという利点がある。
【００１８】
上述した実施の形態は、本発明の好ましい具体例を例示したものに過ぎず、本発明は上述した実施の形態に限定されない。例えば、つり下げ部材２０を放射状に配列したり、斜めに傾斜させたりしてもよい。その他、本発明の特許請求の範囲内で種々の設計変更が可能であることは云うまでもない。
【００１９】
【発明の効果】
以上説明したように、本発明によれば、仕切り布によって電線束同士がつり下げ部材毎に仕切られ、つり下げ部材同士を近接させて並べても、各つり下げ部材がつり下げている電線束が絡み合うことはないがないので、つり下げ部材同士を可及的に近接させて配置し、電線束の収容本数を多くとることができる。
【００２０】
従って、本発明によれば、収納効率がよく、しかも、電線束の着脱を容易に行なうことができるという顕著な効果を奏する。
特に、つり下げ部材の基端が回動可能に片持ち状に支持されているとともに、自由端が着脱可能に係止部に係止している場合には、必要に応じて自由端を係止部から離脱させ、基端部を回動させることにより、一のつり下げ部材を垂下させ、該一のつり下げ部材に後続して配置された他のつり下げ部材を開放（露出）することが可能になる結果、一層操作性が向上するという利点がある。
【図面の簡単な説明】
【図１】本発明の実施の一形態における電線束ストック台の概略構成を示す一部欠載斜視図である。
【図２】図１の実施の形態に係るつり下げ部材の概略構成を示すものであり、（Ａ）は平面略図、（Ｂ）は正面略図である。
【図３】図１の要部を拡大して示す拡大図である。
【符号の説明】
１０    電線束ストック台
１１    構造体
２０    つり下げ部材
２３    筒部
２４    係止部材
２５    仕切り布
Ｗ        電線束
【図１】
0003580351.tif 000002
【図２】
0003580351.tif 000003
【図３】
0003580351.tif 000004